(57)【特許請求の範囲】
【請求項１】
着信時に回線から到来する発信者番号情報を検出する検出手段と、
被呼出し状態の継続期間を計測する計測手段と、
上記検出手段が検出した発信者番号情報と上記計測手段の計測値とを対応付けて記録する記録手段と、
上記記録手段の記録内容を表示する表示手段と
を備え、
上記記録手段は、
上記計測手段の計測値が、予め定めた閾値以下である場合には、記録を行わないことを特徴とする通信端末。
【請求項２】
着信時に回線から到来する発信者番号情報を検出する検出手段と、
被呼出し状態の継続期間を計測する計測手段と、
上記検出手段が検出した発信者番号情報と上記計測手段の計測値とを対応付けて記録する記録手段と、
上記記録手段の記録内容を表示する表示手段と、
予め登録された発信者番号情報を記憶している発信者番号記憶手段と
を備え、
上記記録手段は、
上記計測手段の計測値が、予め定めた閾値以下である場合で、かつ、上記検出手段が検出した発信者番号情報を上記発信者番号記憶手段が記憶していない場合には、記録を行わないことを特徴とする通信端末。
【請求項３】
請求項１または２に記載の通信端末であって、
上記記録手段は、
記録時に空き領域がない場合には、記録すべき計測値よりも小さい計測値のうちの、最も小さい計測値に対応する記録内容を削除することを特徴とする通信端末。
【請求項４】
請求項１から３のいずれか一項に記載の通信端末は、
電話機に内蔵されることを特徴とする通信端末。
【請求項５】
請求項１から３のいずれか一項に記載の通信端末は、
電話機と網交換機との間に介在するアダプタに内蔵されることを特徴とする通信端末。
【請求項６】
請求項１から３のいずれか一項に記載の通信端末は、
移動体電話機に内蔵され、
呼出し状態を維持する期間の指定を受け付ける受付手段と、
上記受付手段が受け付けた期間だけ、呼出し状態を維持する呼出手段と
をさらに備えたことを特徴とする通信端末。
【発明の詳細な説明】
【０００１】
【発明の属する技術分野】
本発明は、着信時に回線から到来する発信者番号情報を記録して表示する通信端末に関する。
【０００２】
【従来の技術】
着信時に回線から到来する発信者番号情報を記録して表示する通信端末としては、例えば、発信者番号表示アダプタや、発信者番号表示機能付き電話機が商品化されている。
【０００３】
この種の通信端末の中には、発信者番号情報と氏名等を表す発信者情報との対応を予め登録してある場合には、着信時に回線から到来した発信者番号情報に対応する発信者情報を記録して表示するようにしているものがある。
【０００４】
また、通信端末のユーザが着信時に不在である場合、すなわち、通信端末のユーザが未応答である場合には、その旨を検知し、未応答の着信件数をさらに表示するようにしたものもある。
【０００５】
なお、この種の通信端末は、発信者番号情報を、単純に、着信順に記録していくようになっており、記録領域に記録可能な件数だけ、最新の着信についての発信者番号情報が記録されるようになっているのが、一般的である。
【０００６】
【発明が解決しようとする課題】
上述した従来の通信端末では、ユーザが未応答である場合に、発信者が切断操作を行うと、発信者番号情報は記録しておくので、ユーザは、後で、発信者番号情報を見て、着信があった旨およびその発信者を知ることはできるが、折返し電話する必要があるような重要な着信であったか否かといったことまで判断することはできない。すなわち、発信者の立場から考えると、着信者が未応答である場合には、自身の意思（自身の呼出しの重要度）を伝えることができない。
【０００７】
発信者は、自身の呼出しの重要度が高い場合には、相手が応答するまで呼出し続けようとすることが考えられ、その結果、相手が不在であると判断して切断動作を行うまでの期間が長くなる。
【０００８】
そこで、発信者が呼出し続けている期間、すなわち、通信端末における被呼出し状態の継続期間を、発信者からの呼出しの重要度を計る判断材料に用いるようにすることができる。
【０００９】
また、上述した従来の通信端末では、発信者番号情報を、単純に、着信順に記録していくようになっており、間違い電話など、通信端末のユーザにとって不必要な発信者番号情報も記録されてしまう。
【００１０】
発信者番号情報を記録するための記録領域は有限であるので、発信者からの呼出しの重要度が高い着信についての発信者番号情報を、優先的に記録するようにすることが好ましいが、通信端末における被呼出し状態の継続期間を、発信者からの呼出しの重要度を計る判断材料に用いるようにすれば、優先的な記録を実現することができる。
【００１１】
本発明の目的は、回線から到来する発信者番号情報を記録して表示する通信端末において、通信端末における被呼出し状態の継続期間を利用することで、ユーザメリットを実現することにある。
【００１２】
【課題を解決するための手段】
上記目的を達成するために、本発明は、第１の態様として、
着信時に回線から到来する発信者番号情報を検出する検出手段と、
被呼出し状態の継続期間を計測する計測手段と、
上記検出手段が検出した発信者番号情報と上記計測手段の計測値とを対応付けて記録する記録手段と、
上記記録手段の記録内容を表示する表示手段とを備えたことを特徴とした通信端末を提供している。
【００１３】
第１の態様によれば、ユーザは、着信時に未応答であっても、後で、表示された計測値を見ることで、発信者からの呼出しの重要度を感じ取り、折返し電話をかけるなどの行動を取ることができる。具体的には、計測値が大きいほど、発信者が長い期間だけ呼出したことを意味しているので、重要な呼出しであると判断することができる。
【００１４】
従って、第１の態様によれば、発信者からの呼出しの重要度を計る判断材料をユーザに与えることができるので、ユーザメリットを実現することができる。
【００１５】
また、本発明は、第２の態様として、第１の態様において、
上記記録手段は、
上記計測手段の計測値が、予め定めた閾値以下である場合には、記録を行わないことを特徴とした通信端末を提供している。
【００１６】
第２の態様によれば、記録領域を有効利用することができるようになる。具体的には、予め定めた期間より長く呼出しを行った発信者の発信者番号情報が、優先的に記録領域に記録されるようにすることができる。
【００１７】
従って、第２の態様によれば、大容量のメモリを必要としなくて済むことから、通信端末を安価で提供できるので、ユーザメリットを実現することができる。
【００１８】
また、本発明は、第３の態様として、第１の態様において、
予め登録された発信者番号情報を記憶している発信者番号記憶手段をさらに備え、
上記記録手段は、
上記計測手段の計測値が、予め定めた閾値以下である場合で、かつ、上記検出手段が検出した発信者番号情報を上記発信者番号記憶手段が記憶していない場合には、記録を行わないことを特徴とした通信端末を提供している。
【００１９】
第３の態様によれば、予め登録されている発信者番号情報については、被呼出し状態の継続期間に関わらず、優先的に記録領域に記録されるようにし、それ以外の発信者番号情報については、第２の態様と同様に、予め定めた期間より長く呼出し発信者の発信者番号情報が、優先的に記録領域に記録されるようにすることができる。
【００２０】
なお、第１の態様〜第３の態様のいずれにおいても、
上記記録手段は、
記録時に空き領域がない場合には、記録すべき計測値よりも小さい計測値のうちの、最も小さい計測値に対応する記録内容を削除するようにすることができる。
【００２１】
また、第１の態様〜第３の態様のいずれにおいても、
上記表示手段は、
上記計測手段の計測値が属する範囲に応じて、表示態様を変更するようにすることができる。
【００２２】
また、第１の態様〜第３の態様のいずれにおいても、
予め登録された計測値の範囲および文字情報を対応付けて記憶している文字記憶手段をさらに備え、
上記表示手段は、
上記計測手段の計測値の代わりに、該計測値が属する範囲に対応付けて上記文字記憶手段が記憶している文字情報を表示するようにすることができる。
【００２３】
さらに、第１の態様〜第３の態様のいずれにおいても、
予め登録された発信者番号情報を記憶している発信者番号記憶手段と、
予め登録された計測値の範囲および文字情報を対応付けて記憶している文字記憶手段とをさらに備え、
上記表示手段は、
上記検出手段が検出した発信者番号情報を上記発信者番号記憶手段が記憶している場合には、上記計測手段の計測値の代わりに、該計測値が属する範囲に対応付けて上記文字記憶手段が記憶している文字情報を表示するようにすることができる。
【００２４】
【発明の実施の形態】
以下、本発明の実施の形態について図面を参照して説明する。
【００２５】
（第１の実施形態）
まず、第１の実施形態について、図１〜図１５を用いて説明する。
【００２６】
図１は、第１の実施形態に係る通信端末の構成を示すブロック図である。
【００２７】
なお、第１の実施形態においては、通信端末が、固定電話機とアナログ網交換機との間に介在する発信者番号表示アダプタであるものとして説明する。
【００２８】
図１において、１００は発信者番号表示アダプタ、１０１は回線制御回路、１０２はＩＤ受信回路、１０３は着信検出回路、１０４は主制御部、１０５はメモリ、１０６は操作部、１０７は表示部である。
【００２９】
回線制御回路１０１は、アナログ網交換機との間で、アナログ回線上に通話路を形成するものであり、ＩＤ受信回路１０２は、着信時にアナログ回線から到来する発信者番号情報を受信するものであり、着信検出回路１０３は、着信起動（被呼出し状態への移行）を示す呼出信号を検出するものである。
【００３０】
また、主制御部１０４は、メモリ１０５に格納されたプログラムを実行することで、発信者番号表示アダプタ１００全体の動作を制御したり、第１の実施形態に係る動作を実行するものである。すなわち、第１の実施形態においては、主制御部１０４は、被呼出し状態の継続期間を計測し、計測値を、ＩＤ受信回路１０２が受信した発信者番号情報と対応付けて、メモリ１０５に記録するようになっている。
【００３１】
なお、操作部１０６は、メモリ１０５の記録内容の読出しを、発信者番号表示アダプタ１００のユーザが指示するためのものであり、表示部１０７は、メモリ１０５から読出された記録内容を表示するためのものである。
【００３２】
図２および図３は、アナログ網（ＰＳＴＮ）における発信者番号通知サービスの基本シーケンスを示すシーケンス図である。
【００３３】
図２は、発信者からの呼出しに対して着信者が応答し、通話中状態に移行した後、発信者の終話操作によって切断するまでの基本シーケンスを示しており、図３は、発信者からの呼出しに対して着信者が未応答であり、発信者の終話操作によって呼出しが放棄されるまでの基本シーケンスを示している。
【００３４】
図２に示すように、発信者が発信（オフフック＋ダイヤル）操作を行うと、アナログ網交換機から発信者番号表示アダプタ１００に対して、起動信号（ＣＡＲ）が到来するので、発信者番号表示アダプタ１００は、起動信号の受信を検出すると、１次応答信号を返送する。
【００３５】
続いて、１次応答信号の受信を検出したアナログ網交換機から発信者番号表示アダプタ１００に対して、発信者番号情報が到来するので、発信者番号表示アダプタ１００は、発信者番号情報の受信に成功すると、受信完了信号を返送する。
【００３６】
続いて、受信完了信号の受信を検出したアナログ網交換機から発信者番号表示アダプタ１００に対して、呼出信号（ＩＲ）が到来するので、発信者番号表示アダプタ１００は、呼出信号の受信を検出すると、被呼出し状態に移行したことを意味しているので、後位の固定電話機に呼出信号を中継し、固定電話機にベルを鳴動させる。このとき、アナログ網交換機から発信者に対しては、呼出音（ＲＢＴ）が送信されている。
【００３７】
ベルが鳴動した固定電話機のユーザ（着信者）が応答（オフフック）操作を行うと、発信者番号表示アダプタ１００の被呼出し状態は解除され、発信者番号表示アダプタ１００は、固定電話機からアナログ網交換機に対して送信される２次応答信号を中継する。
【００３８】
これにより、アナログ網交換機から発信者番号表示アダプタ１００に対して到来していた呼出信号が停止すると共に、アナログ網交換機と発信者番号表示アダプタ１００との間のアナログ回線上に通話路が形成されて、発信者と着信者との間が通話中状態に移行する。
【００３９】
さて、通話中状態で、発信者が終話（オンフック）操作を行うと、アナログ網交換機から発信者番号表示アダプタ１００に対して、話中音（ＢＴ）が到来するので、発信者番号表示アダプタ１００は、話中音の受信を検出すると、後位の固定電話機に話中音を中継する。
【００４０】
話中音を聞いた固定電話機のユーザ（着信者）が終話（オンフック）操作を行うと、発信者番号表示アダプタ１００は、固定電話機からアナログ網交換機に対して送信される終話信号を中継する。
【００４１】
これにより、アナログ網交換機と発信者番号表示アダプタ１００との間のアナログ回線上に形成されていた通話路が切断される。
【００４２】
また、図３に示すように、発信者が発信操作を行ってから、発信者番号表示アダプタ１００が固定電話機のベルを鳴動させるまでのシーケンスは、図２と同様である。
【００４３】
ここでは、ベルが鳴動した固定電話機のユーザ（着信者）が応答（オフフック）操作を行わず、未応答であるので、発信者が、呼出しを放棄するために、終話（オンフック）操作を行っている。
【００４４】
発信者が終話操作を行うと、アナログ網交換機から発信者番号表示アダプタ１００に対して到来していた呼出信号が停止し、発信者番号表示アダプタ１００の被呼出し状態は解除される。
【００４５】
なお、固定電話機のユーザは、発信者番号表示アダプタ１００のユーザと同じである。
【００４６】
また、図２および図３に示した基本シーケンスは、従来の基本シーケンスと同様である。
【００４７】
第１の実施形態は、発信者番号表示アダプタ１００が、被呼出し状態の継続期間を計測するようにしたものであるが、被呼出し状態の継続期間とは、図２および図３に示した基本シーケンスにおいて、アナログ網交換機から発信者番号表示アダプタ１００に対して呼出信号が到来している期間に相当している。
【００４８】
なお、実際には、呼出信号は、図４に示すように、約１.０秒の鳴動と約２.０秒の休止とを交互に繰り返す信号であるので、発信者番号表示アダプタ１００は、図５に示すように、最初の鳴動が開始した時点から明らかに鳴動が停止したと判断した時点までの鳴動回数（ベルの鳴動回数）を計測値とするか、または、図６に示すように、最初の鳴動が開始した時点から明らかに鳴動が停止したと判断した時点までの経過時間を計測値とするようにすることができる。
【００４９】
以下では、最初の鳴動が開始した時点から明らかに鳴動が停止したと判断した時点までのベルの鳴動回数を計測値とした場合を例にして説明する。
【００５０】
図７および図８は、発信者番号表示アダプタ１００がベルの鳴動回数を計測する処理の処理フローチャートである。
【００５１】
本処理は、予め定めた周期（本例では、０.０８秒）で起動される周期プログラムによって実現される。
【００５２】
図７に示すように、発信者番号表示アダプタ１００においては、まず、主制御部１０４が、着信検出回路１０３からの出力を判定する（ステップ７０１）。
【００５３】
図２および図３を用いて説明したように、発信者が発信操作を行うと、アナログ網交換機から発信者番号表示アダプタ１００に対して、起動信号が到来するが、この起動信号は、図９に示すように、約０.５秒間の鳴動と約０.５秒間の休止とを交互に繰り返す信号であり、発信者番号表示アダプタ１００においては、着信検出回路１０３が、アナログ網交換機から到来した起動信号を入力し、その鳴動および休止状態を、信号レベルとして、主制御部１０４に出力する。
【００５４】
そこで、主制御部１０４は、着信検出回路１０３の出力が「Ｌ（ローレベル）」であり、休止状態であることを示している場合には（ステップ７０１）、図８のフローチャートに示す処理に進む。
【００５５】
また、主制御部１０４は、着信検出回路１０３の出力が「Ｈ（ハイレベル）」であり、鳴動状態であることを示している場合には（ステップ７０１）、鳴動状態となった回数を計測するための変数ＭＡの値が「０」であるか否かを判定し（ステップ７０２）、変数ＭＡの値が「０」である場合には、起動信号検出処理を実行する。
【００５６】
すなわち、起動信号検出処理においては、主制御部１０４は、休止状態となった回数を計測するための変数ＭＢの値を、変数ＭＢ’に代入し（ステップ７０３）、変数ＭＢ’の値が「６」であり（ステップ７０４）、さらに、変数ＭＡ’の値が「６」である場合には（ステップ７０５）、休止状態が０.０８秒×６（回）＝０.４８秒（約０.５秒）だけ継続した後に、鳴動状態が０.０８秒×６（回）＝０.４８秒（約０.５秒）だけ継続したことを意味しているので、起動信号の受信を検出したと判断し、ベルの鳴動回数を計測するための変数ＭＣの値を「０」に初期化すると共に（ステップ７０６）、アナログ網交換機に対して１次応答信号を返送するよう、回線制御回路１０１に要求してから（ステップ７０７）、本処理を終了する。なお、変数ＭＡ’には、図８のステップ８０２で、変数ＭＡの値が代入されている。
【００５７】
また、主制御部１０４は、変数ＭＢ’の値および変数ＭＡ’の値が共に「６」でない場合には（ステップ７０４，ステップ７０５）、変数ＭＢの値を「０」に初期化すると共に（ステップ７０８）、変数ＭＣの値に「１」を加算してから（ステップ７０９）、ステップ７１０に進む。
【００５８】
なお、アナログ網交換機から発信者番号表示アダプタ１００に対して到来する呼出信号は、図４に示したように、約１.０秒間の鳴動と約２.０秒間の休止とを交互に繰り返す信号であり、発信者番号表示アダプタ１００においては、着信検出回路１０３が、起動信号と同様に、アナログ網交換機から到来した起動信号を入力し、その鳴動および休止状態を、信号レベルとして、主制御部１０４に出力する。
【００５９】
そこで、主制御部１０４は、ステップ７０８およびステップ７０９に進む場合は、起動信号の受信ではなく、呼出信号の受信を検出したと判断し、変数ＭＣの値に「１」を加算することで、ベルの鳴動回数の計測値を更新するようになっている。
【００６０】
また、主制御部１０４は、変数ＭＡが「０」でない場合も（ステップ７０２）、ステップ７１０に進み、ステップ７１０で、変数ＭＡに「１」を加算してから、本処理を終了する。
【００６１】
一方、主制御部１０４は、着信検出回路１０３の出力が「Ｌ（ローレベル）」であり、休止状態であることを示している場合には（ステップ７０１）、図８に示すように、まず、変数ＭＢの値が「０」であるか否かを判定し（ステップ８０１）、変数ＭＢの値が「０」である場合には、起動信号検出処理を実行する。
【００６２】
すなわち、起動信号検出処理においては、主制御部１０４は、変数ＭＡの値を、変数ＭＡ’に代入し（ステップ８０２）、変数ＭＡ’の値が「６」であり（ステップ８０３）、さらに、変数ＭＢ’の値が「６」である場合には（ステップ８０４）、鳴動状態が０.０８秒×６（回）＝０.４８秒（約０.５秒）だけ継続した後に、休止状態が０.０８秒×６（回）＝０.４８秒（約０.５秒）だけ継続したことを意味しているので、起動信号の受信を検出したと判断し、変数ＭＣの値を「０」に初期化すると共に（ステップ８０５）、アナログ網交換機に対して１次応答信号を返送するよう、回線制御回路１０１に要求してから（ステップ８０６）、ステップ８０９に進む。なお、変数ＭＢ’には、図７のステップ７０３で、変数ＭＢの値が代入されている。
【００６３】
また、主制御部１０４は、変数ＭＡ’の値および変数ＭＢ’の値が共に「６」でない場合には（ステップ８０３，ステップ８０４）、変数ＭＡの値を「０」に初期化してから（ステップ８０７）、ステップ８０８に進む。
【００６４】
また、主制御部１０４は、変数ＭＢが「０」でない場合も（ステップ８０１）、ステップ８０８に進み、ステップ８０８で、変数ＭＢに「１」を加算してから、ステップ８０９に進む。
【００６５】
ステップ８０９では、主制御部１０４は、変数ＭＢが「３０」であるか否かを判定し、変数ＭＢが「３０」である場合には、休止状態が０.０８秒×３０（回）＝２.４秒（約２.０秒＋α）だけ継続したことを意味しているので、呼出信号の受信停止を検出したと判断し、変数ＭＣの値、すなわち、ベルの鳴動回数を、ＩＤ受信回路１０２が受信した発信者番号情報と対応付けて、メモリ１０５に記録し（ステップ８１０）、変数ＭＣの値を「０」に初期化してから（ステップ８１１）、本処理を終了する。
【００６６】
なお、図７および図８で用いられる各種変数の値は、メモリ１０５に格納されて、次の周期で行われる本処理に引き継がれるようになっている。
【００６７】
また、図８のステップ８１０では、主制御部１０４は、図１０に示すように、ベルの鳴動回数および発信者番号情報を対応付けてメモリ１０５に記録する。
【００６８】
図１０において、１００１はエントリ番号であり、１００２は着信日時（呼出信号の受信を検出した日時）、１００３は発信者番号情報、１００４はベルの鳴動回数である。
【００６９】
そして、図１０に示す記録内容のうちの最新の記録内容（最新のエントリ）は、例えば、図１１に示すように、メモリ１０５から読出されて表示部１０７に表示されることとなる。
【００７０】
図１１において、１１０１〜１１０４は、各々、図１０における１００１〜１００４に相当している。また、図１１において、１００５および１００６は読出し用ボタンであり、発信者番号表示アダプタ１００のユーザは、読出し用ボタン１００５，１００６を押下することで、所望のエントリを表示させることができるようになっている。
【００７１】
これにより、発信者番号表示アダプタ１００のユーザは、着信時に未応答であっても、後で、表示部１０７に表示されたベルの鳴動回数を見ることで、発信者からの呼出しの重要度を感じ取り、折返し電話をかけるなどの行動を取ることができる。具体的には、ベルの鳴動回数が大きいほど、発信者が長い期間だけ呼出したことを意味しているので、重要な呼出しであると判断することができる。
【００７２】
また、発信者の立場から考えると、特に、着信者が未応答である場合には、通話料金がかからずに、自身の意思（自身の呼出しの重要度）を伝えることができる。
【００７３】
従って、第１の実施形態によれば、発信者からの呼出しの重要度を計る判断材料を、発信者番号表示アダプタ１００のユーザに与えることができるので、ユーザメリットを実現することができる。
【００７４】
なお、第１の実施形態において、図１２に示すように、発信者番号表示アダプタ１００のユーザによって予め登録された発信者番号情報１２０１および発信者情報（例えば、氏名）１２０２を、対応付けてメモリ１０５に記憶するようにしておけば、図８のステップ８１０では、主制御部１０４は、ＩＤ受信回路１０２が受信した発信者番号情報と同じ発信者番号情報１２０１が記憶されている場合には、それに対応する発信者情報１２０２を、発信者番号情報１００３の代わりに、メモリ１０５に記録するようにしてもよい。
【００７５】
ところで、図１０の例では、最大１０個のエントリを記録することが可能であるものとしているので、主制御部１０４は、従来技術と同様に、記録時に空きエントリがない場合には、最新の着信についてのエントリが記録されるようにするために、最古のエントリを削除するようにしてもよいが、第１の実施形態では、ベルの鳴動回数を、発信者からの呼出しの重要度を計る判断材料に用いるようにしていることから、主制御部１０４は、記録時に空きエントリがない場合には、ベルの鳴動回数が最小のエントリを探し、該ベルの鳴動回数が、記録すべきベルの鳴動回数以下であるならば、探したエントリを削除するようにすることができる。
【００７６】
さらに、第１の実施形態では、ベルの鳴動回数を、発信者からの呼出しの重要度を計る判断材料に用いるようにしていることから、主制御部１０４が、ベルの鳴動回数が予め定めた閾値以下である場合には、記録を行わないようにすることで、発信者からの呼出しの重要度が高い着信についてのエントリのみが記録されるようにし、メモリ１０５の有効利用を図るようにすることができる。
【００７７】
このようにするためには、図８のステップ８１０を、図１３に示す処理に変更すればよい。
【００７８】
すなわち、主制御部１０４は、図８のステップ８１０の代わりに、図１３に示すように、変数ＭＣの値が、予め定めた閾値（例えば、「５」）より大きいか否かを判定し（ステップ１３０１）、大きいときにのみ、ベルの鳴動回数（変数ＭＣの値）および発信者番号情報を対応付けてメモリ１０５に記録するようにする（ステップ１３０２）。
【００７９】
本例によれば、ベルが６回以上鳴動した着信（発信者が呼出音を６回以上聞くまで呼出し続けた着信）についてのエントリのみが、メモリ１０５に記録されることとなる。
【００８０】
なお、発信者からの呼出しの重要度が高い着信についてのエントリのみが記録されるようにする場合、発信者が、携帯電話機やＰＨＳ端末等の移動体電話機から発信したときに、電波の伝搬状態が悪く、発信者の意思に反して、呼出しが中断されてしまう可能性がある。そこで、主制御部１０４は、発信者番号情報が、携帯電話機やＰＨＳ端末等の移動体電話機の番号を表している場合には、変数ＭＣの値が閾値以下であっても、記録を行うようにしてもよい。
【００８１】
このようにするためには、図８のステップ８１０を、図１４に示す処理に変更すればよい。
【００８２】
すなわち、主制御部１０４は、図８のステップ８１０の代わりに、図１４に示すように、ＩＤ受信回路１０２が受信した発信者番号情報が、移動体電話機の番号を表している場合には（ステップ１４０１）、ベルの鳴動回数（変数ＭＣの値）および発信者番号情報を対応付けてメモリ１０５に記録するようにし（ステップ１４０３）、ＩＤ受信回路１０２が受信した発信者番号情報が、移動体電話機の番号を表していない場合には（ステップ１４０１）、変数ＭＣの値が、予め定めた閾値（例えば、「５」）より大きいときにのみ（ステップ１４０２）、ベルの鳴動回数（変数ＭＣの値）および発信者番号情報を対応付けてメモリ１０５に記録するようにする（ステップ１４０３）。
【００８３】
また、発信者からの呼出しの重要度が高い着信についてのエントリのみが記録されるようにする場合、発信者番号表示アダプタ１００のユーザによって予め登録された発信者番号情報をメモリ１０５に記憶するようにしておけば、主制御部１０４は、メモリ１０５に記憶しておいた発信者番号情報と同じ発信者番号情報については、変数ＭＣの値が閾値以下であっても、記録を行うようにしてもよい。
【００８４】
このようにするためには、図８のステップ８１０を、図１５に示す処理に変更すればよい。
【００８５】
すなわち、主制御部１０４は、図８のステップ８１０の代わりに、図１５に示すように、ＩＤ受信回路１０２が受信した発信者番号情報が、メモリ１０５に記憶されている発信者番号情報と一致する場合には（ステップ１５０１）、ベルの鳴動回数（変数ＭＣの値）および発信者番号情報を対応付けてメモリ１０５に記録するようにし（ステップ１５０３）、ＩＤ受信回路１０２が受信した発信者番号情報が、メモリ１０５に記憶されている発信者番号情報と一致しない場合には（ステップ１５０１）、変数ＭＣの値が、予め定めた閾値（例えば、「５」）より大きいときにのみ（ステップ１５０２）、ベルの鳴動回数（変数ＭＣの値）および発信者番号情報を対応付けてメモリ１０５に記録するようにする（ステップ１５０３）。
【００８６】
また、第１の実施形態において、図１０に示す記録内容を読出して表示部１０７に表示する際に、ベルの鳴動回数に応じて、表示態様を変更するようにしてもよい。
【００８７】
例えば、ベルの鳴動回数が「１」〜「５」である第１の場合、ベルの鳴動回数が「６」〜「１０」である第２の場合、ベルの鳴動回数が「１１」以上である第３の場合の３つの場合に分けて、表示時の点滅周期の速さを、第１の場合＞第２の場合＞第３の場合となるようにすることで、ベルの鳴動回数の大きさ、すなわち、発信者からの呼出しの重要度の高さを、発信者番号表示アダプタ１００のユーザに視覚的に訴えるようにすることができる。
【００８８】
また、例えば、表示部１０７がカラー表示が可能であるならば、表示色を変更するようにすることができる。
【００８９】
さらに、第１の実施形態においては、主制御部１０４は、着信者が応答操作を行った場合、および、発信者が終話操作を行った場合のいずれの場合も、ベルの鳴動回数（変数ＭＣの値）および発信者番号情報を対応付けてメモリ１０５に記録するようにしているが、着信者が応答操作を行った場合には、発信者番号表示アダプタ１００のユーザが、表示部１０７の表示内容を確認済みであると考えられるので、通話終了時や次回の記録時に、メモリ１０５に記録しておいた内容を削除するようにしてもよい。なお、次回の記録時に削除するためには、応答があった旨を付加して記録しておくようにする必要がある。
【００９０】
（第２の実施形態）
次に、第２の実施形態について、図１６〜図２０を用いて説明する。
【００９１】
第２の実施形態は、第１の実施形態において、メモリ１０５に記録されているベルの鳴動回数（変数ＭＣの値）を表示部１０７に表示する際に、加工を施すようにしたものであり、以下、第１の実施形態と異なる点についてのみ説明する。
【００９２】
具体的には、第２の実施形態においては、主制御部１０４が、ベルの鳴動回数（変数ＭＣの値）および発信者番号情報をメモリ１０５から読出して表示部１０７に表示する際に、図１６に示す処理を行うようにしている。
【００９３】
すなわち、主制御部１０４は、図１６に示すように、表示すべき変数ＭＣの値が、予め定めた閾値（例えば、「５」）より大きいか否かを判定し（ステップ１６０１）、「５」以下である場合には、第１のパターンに従った表示を行い（ステップ１６０２）、「５」より大きい場合には、さらに、表示すべき変数ＭＣの値が、予め定めた閾値（例えば、「１０」）より大きいか否かを判定する（ステップ１６０３）。
【００９４】
そして、表示すべき変数ＭＣの値が「１０」以下である場合には（ステップ１６０３）、第２のパターンに従った表示を行い（ステップ１６０４）、「１０」より大きい場合には（ステップ１６０３）、第３のパターンに従った表示を行うようにしている（ステップ１６０５）。
【００９５】
なお、第１のパターンに従った表示としては、例えば、図１７に示すように、変数ＭＣの値の代わりに、「から電話がありました」という文字情報が表示されるようにすることができ、第２のパターンに従った表示としては、例えば、図１８に示すように、変数ＭＣの値の代わりに、「から重要と思われる電話がありました」という文字情報が表示されるようにすることができ、第３のパターンに従った表示としては、例えば、図１９に示すように、変数ＭＣの値の代わりに、「からとても重要と思われる電話がありました」という文字情報が表示されるようにすることができる。
【００９６】
図１７〜図１９に示した表示例とした理由は、変数ＭＣの値が「５」以下である場合は、ベルが５回以下だけ鳴動した着信であり、変数ＭＣの値が「６」〜「１０」である場合は、ベルが６回〜１０回だけ鳴動した着信であり、変数ＭＣの値が「１０」より大きい場合は、ベルが１１回以上鳴動した着信であることを意味しているので、ベルの鳴動回数が大きいほど、発信者からの呼出しの重要度が高いと判断し、それに見合った文字情報を表示するようにしたからである。
【００９７】
そこで、第２の実施形態においては、図２０に示すように、ベルの鳴動回数（変数ＭＣの値）の範囲と、表示すべき文字情報とを、対応付けてメモリ１０５に記憶しておく必要がある。なお、ベルの鳴動回数（変数ＭＣの値）の範囲および文字情報は、発信者番号表示アダプタ１００のユーザの操作によって、変更可能であるようにすることができる。
【００９８】
以上説明したように、第２の実施形態によれば、ベルの鳴動回数を複数の範囲にレベル分けし、各レベルに応じた文字情報を表示することで、発信者からの呼出の重要度の高さを、発信者番号表示アダプタ１００のユーザに視覚的に訴えるようにすることができる。
【００９９】
なお、上述の例では、ベルの鳴動回数（変数ＭＣの値）の範囲を３つのレベルに分けているが、これに限るものではなく、また、表示する文字情報も、図１７〜図１９に示した例に限るものではない。
【０１００】
ところで、第２の実施形態のように、ベルの鳴動回数（変数ＭＣの値）の範囲と表示すべき文字情報とを対応付けるようにすることで、後述するような応用例が考えられる。
【０１０１】
（第２の実施形態の応用例）
以下、第２の実施形態の応用例について、図２１〜図２３を用いて説明する。
【０１０２】
本例は、表示すべき文字情報を、発信者からの呼出しの重要度に見合った文字情報ではなく、特定の発信者と着信者（発信者番号表示アダプタ１００のユーザ）との間で予め取り決めた内容を表す文字情報であるようにした応用例である。
【０１０３】
この場合、発信者番号表示アダプタ１００のユーザが、例えば、図２１に示すように、ベルの鳴動回数（変数ＭＣの値）の範囲および文字情報を、対応付けてメモリ１０５に記憶させておくようにする必要がある。また、図示しないが、特定の発信者の発信者番号情報も、メモリ１０５に記憶させておくようにする必要がある。
【０１０４】
図２１では、ベルが１回〜２回だけ鳴動した着信が、今から会社を出て帰る旨を示し、ベルが３回〜４回だけ鳴動した着信が、今日の帰りが遅くなる旨を示すよう、特定の発信者と着信者（発信者番号表示アダプタ１００のユーザ）との間で取り決めた場合を例にしており、ＭＣ≦２と「今から会社を出て帰ります」という文字情報とが、第１のパターンとして対応付けてメモリ１０５に記憶され、２＜ＭＣ≦４と「今日の帰りは遅くなります」という文字情報とが、第２のパターンとして対応付けてメモリ１０５に記憶されている。
【０１０５】
そして、本例においては、主制御部１０４が、ベルの鳴動回数（変数ＭＣの値）および発信者番号情報をメモリ１０５から読出して表示部１０７に表示する際に、図２２に示す処理を行うようにする。
【０１０６】
すなわち、主制御部１０４は、図２２に示すように、表示すべき発信者番号情報が、特定の発信者の発信者番号情報と一致するか否かを判定し（ステップ２２０１）、特定の発信者の発信者番号情報と一致する場合には、表示すべき変数ＭＣの値が、予め取り決められた閾値（本例では、「２」）より大きいか否かを判定し（ステップ２２０２）、「２」以下である場合には、第１のパターンに従った表示を行う（ステップ２２０３）。
【０１０７】
また、表示すべき変数ＭＣの値が「２」より大きい場合には（ステップ２２０２）、さらに、表示すべき変数ＭＣの値が、予め取り決められた閾値（本例では、「５」）より大きいか否かを判定し（ステップ２２０４）、「５」以下である場合には、第２のパターンに従った表示を行い（ステップ２２０５）、「５」より大きい場合には、変数ＭＣの値を、発信者番号情報と共に表示するようにする（ステップ２２０６）。
【０１０８】
一方、主制御部１０４は、表示すべき発信者番号情報が、特定の発信者の発信者番号情報と一致しない場合も（ステップ２２０１）、変数ＭＣの値を、発信者番号情報と共に表示するようにする（ステップ２２０６）。
【０１０９】
ここで、本例による表示部１０７への表示例を、図２３に示しておく。
【０１１０】
図２３では、図１２に示すように、発信者番号表示アダプタ１００のユーザによって予め登録された発信者番号情報および発信者情報（例えば、氏名）を、対応付けてメモリ１０５に記憶するようにした例を示しており、発信者番号情報の代わりに、発信者情報（「パパ携帯」）が表示されている。
【０１１１】
なお、本例では、特定の発信者が１人だけであるようにしているが、複数の特定の発信者との間で、各々、異なる内容の取り決めを行うようにしてもよく、このようにする場合は、複数の特定の発信者の発信者番号情報ごとに、取り決めた内容をメモリ１０５に記憶するようにすればよい。
【０１１２】
上述したように、本例によれば、特定の発信者は、着信者（発信者番号表示アダプタ１００のユーザ）が応答することなく、自身の意思を伝達することができるようになる。
【０１１３】
着信者（発信者番号表示アダプタ１００のユーザ）が応答して通話中状態になると、発信者に対して通話料金が課金されるが、本例によれば、着信者が応答することなく、発信者の意思を伝達することができるので、特に、発信者が、通話料金が比較的高い携帯電話機やＰＨＳ端末等の移動体電話機から発信するときに効果を発揮する。
【０１１４】
そこで、本例のような発信者番号表示アダプタ１００に対して発信するための機能を有する電話機を提供することも可能となる。
【０１１５】
具体的には、呼出し状態を維持する期間（予め取り決めたベルの鳴動回数に相当する期間）の指定を受け付ける機能と、受け付けた期間だけ呼出し状態を維持してから自動的に切断するような機能とを、電話機に追加するようにすればよい。
【０１１６】
また、呼出し状態を維持する期間と、発信先で表示される文字情報との対応関係を、発信者が忘れないようにするために、両者を対応付けて記憶しておく機能をさらに追加するようにしてもよい。
【０１１７】
これにより、発信者は、間違えなく、自身の意思を伝達することができるようになる。なお、このような機能は、上述した理由から、特に、携帯電話機やＰＨＳ端末等の移動体電話機に追加されるようにすると効果的である。
【０１１８】
さて、上述した第１の実施形態および第２の実施形態においては、通信端末が、固定電話機とアナログ網交換機との間に介在する発信者番号表示アダプタ１００であるものとして説明したが、図１に示した構成要素と、電話機の構成要素とを組み合わせることで、当然のことながら、アナログ網交換機に収容される発信者番号表示機能付き電話機として実現することも可能である。
【０１１９】
そこで、発信者番号表示機能付き電話機に、さらに、上述した機能を追加することが可能となり、このようにした電話機が、携帯電話機やＰＨＳ端末等の移動体電話機である場合を考えると、そのユーザは、通話料金が課金されることなく、他のユーザとの間で、互いに意思を伝達し合うことができる。
【０１２０】
（第３の実施形態）
また、上述した第１の実施形態および第２の実施形態においては、通信端末が、固定電話機とアナログ網交換機との間に介在する発信者番号表示アダプタ１００であるものとして説明したが、固定電話機とデジタル網交換機との間に介在する発信者番号表示アダプタや、デジタル網交換機に収容される発信者番号表示機能付き電話機として実現することも可能である。
【０１２１】
ただし、デジタル網（ＩＳＤＮ網）における発信者番号通知サービスの基本シーケンスは、図２および図３に示したアナログ網における発信者番号通知サービスの基本シーケンスとは異なるので、被呼出し状態の継続期間を計測する方法が、上述した第１の実施形態および第２の実施形態とは異なるものとなる。
【０１２２】
そこで、以下、通信端末が、デジタル網交換機に収容される発信者番号表示機能付き電話機であるものとした実施形態を、第３の実施形態として、図２４〜図２８を用いて説明する。
【０１２３】
図２４は、第３の実施形態に係る発信者番号表示機能付き電話機の構成を示すブロック図である。
【０１２４】
図２４において、２４００は発信者番号表示機能付き電話機、２４０１はＬ１制御部、２４０２はＬ２／Ｌ３制御部、２４０３は主制御部、２４０４はメモリ、２４０５は操作部、２４０６は表示部である。
【０１２５】
Ｌ１制御部２４０１は、デジタル網交換機との間で、デジタル回線上に通話路を形成するものであり、Ｌ２／Ｌ３制御部２４０２は、デジタル網交換機との間で、呼制御信号をやり取りするものである。
【０１２６】
また、主制御部２４０３は、メモリ２４０４に格納されたプログラムを実行することで、発信者番号表示機能付き電話機２４００全体の動作を制御したり、第３の実施形態に係る動作を実行するものである。すなわち、第３の実施形態においては、主制御部２４０３は、被呼出し状態の継続期間を計測し、計測値を、着信時にデジタル回線から到来する発信者番号情報と対応付けて、メモリ２４０４に記録するようになっている。
【０１２７】
なお、デジタル網では、後述するように、呼制御信号の１つである呼設定信号中に、発信者番号情報が含まれるようになっているので、主制御部２４０３は、Ｌ２／Ｌ３制御部２４０２が受信した呼設定信号を解析することで、発信者番号情報を検出する。
【０１２８】
また、操作部２４０５は、メモリ２４０４の記録内容の読出しを、発信者番号表示機能付き電話機２４００のユーザが指示するためのものであると共に、送受話器やプッシュボタン等の、電話機として機能するために必要な構成要素も含んでいる。
【０１２９】
また、表示部２４０６は、メモリ２４０４から読出された記録内容を表示するためのものであると共に、発信者番号表示機能付き電話機２４００のユーザがダイヤルした発信先番号等の、電話機として機能する場合に表示すべき内容も表示する。
【０１３０】
図２５および図２６は、デジタル網における発信者番号通知サービスの基本シーケンスを示すシーケンス図である。
【０１３１】
図２５は、発信者からの呼出しに対して着信者が応答し、通話中状態に移行した後、発信者の終話操作によって切断するまでの基本シーケンスを示しており、図２６は、発信者からの呼出しに対して着信者が未応答であり、発信者の終話操作によって呼出しが放棄されるまでの基本シーケンスを示している。
【０１３２】
図２５に示すように、発信者が発信（オフフック＋ダイヤル）操作を行うと、デジタル網交換機から発信者番号表示機能付き電話機２４００に対して、呼設定信号（ＳＥＴＵＰ）が到来するので、発信者番号表示機能付き電話機２４００は、呼設定信号の受信を検出すると、呼出信号（ＡＬＥＲＴ）を返送すると共に、被呼出し状態に移行したことを意味しているので、着信音を出力してベルを鳴動させる。なお、呼設定信号には、発信者番号情報が含まれている。
【０１３３】
ベルが鳴動した発信者番号表示機能付き電話機２４００のユーザ（着信者）が応答（オフフック）操作を行うと、発信者番号表示機能付き電話機２４００の被呼出し状態は解除され、発信者番号表示機能付き電話機２４００は、着信音の出力を停止してベルの鳴動を停止させると共に、デジタル網交換機に対して応答信号（ＣＯＮＮ）を送信する。
【０１３４】
続いて、応答信号の受信を検出したデジタル網交換機から発信者番号表示機能付き電話機２４００に対して、応答確認信号（ＣＯＮＮＡＣＫ）が到来し、これにより、デジタル網交換機と発信者番号表示機能付き電話機２４００との間のデジタル回線上に通話路が形成されて、発信者と着信者との間が通話中状態に移行する。
【０１３５】
さて、通話中状態で、発信者が終話（オンフック）操作を行うと、デジタル網交換機から発信者番号表示機能付き電話機２４００に対して、切断信号（ＤＩＳＣ）が到来するので、発信者番号表示機能付き電話機２４００は、切断信号の受信を検出すると、話中音（ＢＴ）を出力する。
【０１３６】
話中音を聞いた発信者番号表示機能付き電話機２４００のユーザ（着信者）が終話（オンフック）操作を行うと、発信者番号表示機能付き電話機２４００は、デジタル網交換機に対して解放信号（ＲＥＬ）を送信する。
【０１３７】
続いて、解放信号の受信を検出したデジタル網交換機から発信者番号表示機能付き電話機２４００に対して、解放完了信号（ＲＥＬＣＯＭＰ）が到来し、これにより、デジタル網交換機と発信者番号表示機能付き電話機２４００との間のデジタル回線上に形成されていた通話路が切断される。
【０１３８】
また、図２６に示すように、発信者が発信操作を行ってから、発信者番号表示機能付き電話機２４００がベルを鳴動させるまでのシーケンスは、図２５と同様である。
【０１３９】
ここでは、ベルが鳴動した発信者番号表示機能付き電話機２４００のユーザ（着信者）が応答（オフフック）操作を行わず、未応答であるので、発信者が、呼出しを放棄するために、終話（オンフック）操作を行っている。
【０１４０】
発信者が終話操作を行うと、デジタル網交換機から発信者番号表示機能付き電話機２４００に対して、切断信号（ＤＩＳＣ）が到来するので、発信者番号表示機能付き電話機２４００は、切断信号の受信を検出すると、発信者番号表示機能付き電話機２４００の被呼出し状態は解除され、着信音の出力を停止してベルの鳴動を停止させると共に、デジタル網交換機に対して解放信号（ＲＥＬ）を返送する。
【０１４１】
続いて、解放信号の受信を検出したデジタル網交換機から発信者番号表示機能付き電話機２４００に対して、解放完了信号（ＲＥＬＣＯＭＰ）が到来する。
【０１４２】
なお、図２５および図２６に示した基本シーケンスは、従来の基本シーケンスと同様である。
【０１４３】
第３の実施形態は、発信者番号表示機能付き電話機２４００が、被呼出し状態の継続期間を計測するようにしたものであるが、被呼出し状態の継続期間とは、図２５に示した基本シーケンスにおいては、発信者番号表示機能付き電話機２４００が呼出信号を送信した時点から応答信号を送信した時点までの期間に相当しており、図２６に示した基本シーケンスにおいては、発信者番号表示機能付き電話機２４００が呼出信号を送信した時点から切断信号の受信を検出した時点までの期間に相当している。
【０１４４】
図２７および図２８は、発信者番号表示機能付き電話機２４００が被呼出し状態の継続期間を計測する処理を示す図である。
【０１４５】
図２７に示すように、発信者番号表示機能付き電話機２４００においては、主制御部２４０３は、空状態で、Ｌ２／Ｌ３制御部２４０２が呼設定信号を受信したことを検出すると（ステップ２７０１）、着信音を出力してベルを鳴動させると共に（ステップ２７０２）、被呼出し状態計測タイマを作動させる（ステップ２７０３）。そして、主制御部２４０３は、デジタル網交換機に対して呼出信号を返送するよう、Ｌ２／Ｌ３制御部２４０２に要求し（ステップ２７０４）、呼設定信号に含まれている発信者番号情報をメモリ２４０４に記録してから（ステップ２７０５）、被呼出し状態に移行する。
【０１４６】
また、図２８に示すように、発信者番号表示機能付き電話機２４００においては、主制御部２４０３は、被呼出し状態で、発信者番号表示機能付き電話機２４００のユーザが応答操作を行ったことを検出すると（ステップ２８０１）、着信音の出力を停止してベルの鳴動を停止させると共に（ステップ２８０２）、被呼出し状態計測タイマを停止させる（ステップ２８０３）。
【０１４７】
被呼出し状態計測タイマを停止させた時点の計測値が、被呼出し状態の継続期間に相当しているので、主制御部２４０３は、計測値を、図２７のステップ２７０５で記憶したおいた発信者番号情報に対応付けて、メモリ２４０４に記録する（ステップ２８０４）。
【０１４８】
そして、主制御部２４０３は、デジタル網交換機に対して応答信号を送信するよう、Ｌ２／Ｌ３制御部２４０２に要求し（ステップ２８０５）、Ｌ２／Ｌ３制御部２４０２が応答確認信号を受信したことを検出すると（ステップ２８０６）、通話中状態に移行する。
【０１４９】
一方、図２８に示すように、発信者番号表示機能付き電話機２４００においては、主制御部２４０３は、被呼出し状態で、Ｌ２／Ｌ３制御部２４０２が切断信号を受信したことを検出すると（ステップ２８１１）、着信音の出力を停止してベルの鳴動を停止させると共に（ステップ２８１２）、被呼出し状態計測タイマを停止させる（ステップ２８１３）。
【０１５０】
被呼出し状態計測タイマを停止させた時点の計測値が、被呼出し状態の継続期間に相当しているので、主制御部２４０３は、計測値を、図２７のステップ２７０５で記憶したおいた発信者番号情報に対応付けて、メモリ２４０４に記録する（ステップ２８１４）。
【０１５１】
そして、主制御部２４０３は、デジタル網交換機に対して解放信号を送信するよう、Ｌ２／Ｌ３制御部２４０２に要求し（ステップ２８１５）、Ｌ２／Ｌ３制御部２４０２が解放完了信号を受信したことを検出すると（ステップ２８１６）、空状態に移行する。
【０１５２】
なお、第３の実施形態において、主制御部２４０３は、上述した第１の実施形態と同様に、計測値および発信者番号情報を対応付けてメモリ２４０４に記録する。ただし、主制御部２４０３は、図１０におけるベルの鳴動回数１００４の代わりに、被呼出し状態計測タイマの計測値を記録し、また、図１０における着信日時１００２は、被呼出し状態計測タイマを作動させた日時とする。
【０１５３】
また、第３の実施形態においても、上述した第１の実施形態と同様に、メモリ２４０４に記録された記録内容のうちの最新の記録内容は、メモリ２４０４から読出されて表示部２５０６に表示されることとなる。ただし、図１１における表示内容１１０４の代わりに、被呼出し状態計測タイマの計測値を表す表示内容（例えば、「××秒」）が表示されることとなる。
【０１５４】
なお、第３の実施形態では、デジタル網における基本シーケンスを用いて説明しているので、発信者が呼出しを放棄したときに、切断信号が到来するようになっているが、被呼出し状態が解除されるイベントのうちの、応答操作以外のイベントとして、切断信号以外の被切断系の信号（例えば、解放信号や解放完了信号）が到来する可能性もある。しかしながら、いずれの信号も被切断系の信号であるので、切断信号を受信した場合と同様に対処することができる。
【０１５５】
これにより、発信者番号表示機能付き電話機２４００のユーザは、着信時に未応答であっても、後で、表示部２５０６に表示された、被呼出し状態計測タイマの計測値を見ることで、発信者からの呼出しの重要度を感じ取り、折返し電話をかけるなどの行動を取ることができる。具体的には、被呼出し状態計測タイマの計測値が大きいほど、発信者が長い期間だけ呼出したことを意味しているので、重要な呼出しであると判断することができる。
【０１５６】
また、発信者の立場から考えると、特に、着信者が未応答である場合には、通話料金がかからずに、自身の意思（自身の呼出しの重要度）を伝えることができる。
【０１５７】
従って、第３の実施形態によれば、上述した第１の実施形態と同様に、発信者からの呼出しの重要度を計る判断材料を、発信者番号表示機能付き電話機２４００のユーザに与えることができるので、ユーザメリットを実現することができる。
【０１５８】
なお、第３の実施形態においても、上述した第１の実施形態と同様に、図１２に示したように、発信者番号表示機能付き電話機２４００のユーザによって予め登録された発信者番号情報１２０１および発信者情報（例えば、氏名）１２０２を、対応付けてメモリ１０５に記憶するようにしておけば、図２７のステップ２７０５では、主制御部２４０３は、受信した呼設定信号に含まれている発信者番号情報と同じ発信者番号情報１２０１が記憶されている場合には、それに対応する発信者情報１２０２を、発信者番号情報の代わりに、メモリ２４０３に記録するようにしてもよい。
【０１５９】
また、第３の実施形態においても、上述した第１の実施形態と同様に、主制御部２４０３が、記録時に空きエントリがない場合には、被呼出し状態計測タイマの計測値が最小のエントリを探し、該計測値が、記録すべき計測値以下であるならば、探したエントリを削除するようにすることができる。
【０１６０】
また、第３の実施形態においても、上述した第１の実施形態と同様に、主制御部２４０３が、被呼出し状態計測タイマの計測値が予め定めた閾値以下である場合には、記録を行わないようにすることで、発信者からの呼出しの重要度が高い着信についてのエントリのみが記録されるようにし、メモリ２４０４の有効利用を図るようにすることができる。
【０１６１】
なお、発信者からの呼出しの重要度が高い着信についてのエントリのみが記録されるようにする場合、発信者が、携帯電話機やＰＨＳ端末等の移動体電話機から発信したときに、電波の伝搬状態が悪く、発信者の意思に反して、呼出しが中断されてしまう可能性がある。そこで、主制御部２４０３は、発信者番号情報が、携帯電話機やＰＨＳ端末等の移動体電話機の番号を表している場合には、被呼出し状態計測タイマの計測値が閾値以下であっても、記録を行うようにしてもよい。
【０１６２】
また、発信者からの呼出しの重要度が高い着信についてのエントリのみが記録されるようにする場合、発信者番号表示機能付き電話機２４００のユーザによって予め登録された発信者番号情報をメモリ２４０４に記憶するようにしておけば、主制御部２４０３は、メモリ２４０４に記憶しておいた発信者番号情報と同じ発信者番号情報については、被呼出し状態計測タイマの計測値が閾値以下であっても、記録を行うようにしてもよい。
【０１６３】
また、第３の実施形態においても、上述した第１の実施形態と同様に、メモリ２４０４に記録した記録内容を読出して表示部２４０６に表示する際に、被呼出し状態計測タイマの計測値に応じて、表示態様を変更するようにしてもよい。
【０１６４】
また、第３の実施形態においても、上述した第１の実施形態と同様に、主制御部２４０３は、着信者が応答操作を行った場合、および、発信者が終話操作を行った場合のいずれの場合も、被呼出し状態計測タイマの計測値および発信者番号情報を対応付けてメモリ２４０４に記憶するようにしているが、着信者が応答操作を行った場合には、発信者番号表示機能付き電話機２４００のユーザが、表示部２４０６の表示内容を確認済みであると考えられるので、通話終了時や次回の記録時に、メモリ２４０４に記録しておいた内容を削除するようにしてもよい。なお、次回の記録時に削除するためには、応答があった旨を付加して記録しておくようにする必要がある。
【０１６５】
また、発信者番号表示機能付き電話機２４００が留守番電話機能を有している場合には、着信者が未応答であっても、留守番電話機能が応答することがあり、発信者が用件を録音しないまま切断する可能性があるので、留守番電話機能が応答したときには、主制御部２４０３は、メモリ２４０４に記録しておいた内容を削除しないようにすることが好ましい。
【０１６６】
さらに、第３の実施形態においても、上述した第２の実施形態と同様に、メモリ２４０４に記録されている被呼出し状態計測タイマの計測値を表示部２４０６に表示する際に、加工を施すようにしてもよい。
【０１６７】
ところで、上述した第１の実施形態〜第３の実施形態は、発信者番号表示アダプタ１００および発信者番号表示機能付き電話機２４００のように、発信者番号情報を記録して表示する通信端末において、被呼出し状態の継続期間を利用するものであるが、通信端末における被呼出し状態の継続期間は、発信者からの呼出しの重要度を計るだけではなく、様々なサービスを提供するための判断材料に用いるようにすることも可能である。
【０１６８】
具体的には、被呼出し状態の継続期間が予め定めた閾値を超えた場合に、予め定めた動作を行うようにした通信端末を、応用例として実現することができる。ここで、予め定めた動作とは、ポケベルの呼出し動作や、呼返し（コールバック）動作等の、様々な動作が考えられる。
【０１６９】
（第３の実施形態の応用例）
そこで、以下に、被呼出し状態の継続期間を、サービスを提供するための判断材料に用いるようにした通信端末について、図２９〜図３５を用いて説明する。
【０１７０】
なお、本例においては、通信端末が、デジタル網交換機に収容されたコールセンタ装置であるものとして説明し、従って、本例は、上述した第３の実施形態の応用例となる。
【０１７１】
図２９は、本例に係るコールセンタ装置の構成を示すブロック図である。
【０１７２】
図２９において、２９００はコールセンタ装置、２９０１はＬ１制御部、２９０２はＬ２／Ｌ３制御部、２９０３は音声応答制御部、２９０４は主制御部、２９０５はメモリである。
【０１７３】
Ｌ１制御部２９０１は、デジタル網交換機との間で、デジタル回線上に通話路を形成するものであり、Ｌ２／Ｌ３制御部２９０２は、デジタル網交換機との間で、呼制御信号をやり取りするものである。
【０１７４】
また、音声応答制御部２９０３は、ガイダンスメッセージ等を送出するものである。
【０１７５】
また、主制御部２９０４は、メモリ２９０５に格納されたプログラムを実行することで、コールセンタ装置２９００全体の動作を制御したり、本例に係る動作を実行するものである。すなわち、本例においては、主制御部２９０４は、被呼出し状態の継続期間を計測し、計測値に応じて、コールバック動作および自動応答動作のいずれかを行うようになっている。
【０１７６】
図３０および図３１は、コールセンタ装置２９００の動作シーケンスを示すシーケンス図であり、図３０は、コールバック動作のシーケンスを示し、図３１は、自動応答動作のシーケンスを示している。
【０１７７】
コールセンタ装置２９００は、着信を受け付けた後、予め定めた期間以内に切断された場合、すなわち、被呼出し状態の継続期間が、予め定めた期間以内であった場合には、発信者に対して折返し発信を行うコールバック動作を行い、着信を受け付けた後、予め定めた期間が経過しても切断されなかった場合、すなわち、被呼出し状態の継続期間が、予め定めた期間を超えた場合には、発信者に対して自動応答する自動応答動作を行うようになっている。
【０１７８】
まず、コールバック動作について説明すると、図３０に示すように、発信者が発信（オフフック＋ダイヤル）操作を行うと、デジタル網交換機からコールセンタ装置２９００に対して、呼設定信号（ＳＥＴＵＰ）が到来するので、コールセンタ装置２９００は、呼設定信号の受信を検出すると、呼出信号（ＡＬＥＲＴ）を返送すると共に、被呼出し状態に移行したことを意味しているので、被呼出し状態計測タイマを作動させる。なお、被呼出し状態計測タイマは、予め定めた閾値に達すると、タイムアウトするようになっている。
【０１７９】
ここでは、発信者が、被呼出し状態計測タイマがタイムアウトする前に、呼出しを放棄するために、終話（オンフック）操作を行っている。
【０１８０】
発信者が終話操作を行うと、デジタル網交換機からコールセンタ装置２９００に対して、切断信号（ＤＩＳＣ）が到来するので、コールセンタ装置２９００は、切断信号の受信を検出すると、コールセンタ装置２９００の被呼出し状態は解除され、被呼出し状態計測タイマを停止させると共に、デジタル網交換機に対して解放信号（ＲＥＬ）を返送する。
【０１８１】
続いて、解放信号の受信を検出したデジタル網交換機からコールセンタ装置２９００に対して、解放完了信号（ＲＥＬＣＯＭＰ）が到来するので、コールセンタ装置２９００は、解放完了信号の受信を検出すると、先の発信者に対して折返し発信するために、デジタル網交換機に対して呼設定信号（ＳＥＴＵＰ）を送信する。なお、折返し発信するために必要な発信者の発信者番号情報は、該発信者からの着信を受け付けたときに受信した呼設定信号に含まれている。
【０１８２】
続いて、呼設定信号の受信を検出したデジタル網交換機からコールセンタ装置２９００に対して、呼設定受付信号（ＣＡＬＬＰＲＯＣ）および呼出信号（ＡＬＥＲＴ）が到来するので、呼設定受付信号および呼出信号の受信を検出したコールセンタ装置２９００は、先の発信者からの応答を待つこととなる。
【０１８３】
折返し発信による着信に対して、先の発信者が応答（オフフック）操作を行うと、デジタル網交換機からコールセンタ装置２９００に対して、応答信号（ＣＯＮＮ）が到来するので、コールセンタ装置２９００は、応答信号の受信を検出すると、デジタル網交換機に対して応答確認信号（ＣＯＮＮＡＣＫ）を返送すると共に、ガイダンスを送出するなどの情報提供を行う。
【０１８４】
次に、自動応答動作について説明すると、図３１に示すように、発信者が発信操作を行ってから、被呼出し状態計測タイマを作動させるまでのシーケンスは、図３０と同様である。
【０１８５】
ここでは、発信者が、被呼出し状態計測タイマがタイムアウトしても、呼出しを放棄せずに、呼出し続けている。
【０１８６】
そこで、コールセンタ装置２９００は、被呼出し状態計測タイマがタイムアウトすると、デジタル網交換機に対して応答信号（ＣＯＮＮ）を送信する。
【０１８７】
続いて、応答信号の受信を検出したデジタル網交換機からコールセンタ装置２９００に対して、応答確認信号（ＣＯＮＮＡＣＫ）が到来するので、コールセンタ装置２９００は、応答確認信号の受信を検出すると、ガイダンスを送出するなどの情報提供を行う。
【０１８８】
図３２〜図３５は、コールセンタ装置２９００の処理を示す図である。
【０１８９】
図３２に示すように、コールセンタ装置２９００においては、主制御部２９０４は、空状態で、Ｌ２／Ｌ３制御部２９０２が呼設定信号を受信したことを検出すると（ステップ３２０１）、被呼出し状態計測タイマを作動させると共に（ステップ３２０２）、デジタル網交換機に対して呼出信号を返送するよう、Ｌ２／Ｌ３制御部２９０２に要求し（ステップ３２０３）、呼設定信号に含まれている発信者番号情報をメモリ２４０４に一時的に記録してから（ステップ３２０４）、被呼出し状態に移行する。
【０１９０】
続いて、図３３に示すように、コールセンタ装置２９００においては、主制御部２９０４は、被呼出し状態で、Ｌ２／Ｌ３制御部２９０２が切断信号を受信したことを検出すると（ステップ３３０１）、発信者が、被呼出し状態計測タイマがタイムアウトする前に、呼出しを放棄したことを意味しているので、被呼出し状態計測タイマを停止させると共に（ステップ３３０２）、デジタル網交換機に対して解放信号を返送するよう、Ｌ２／Ｌ３制御部２９０２に要求する（ステップ３３０３）。そして、主制御部２９０４は、発信者に対して折返し発信するために、自身に対して、コールバック要求イベントを発生させてから（ステップ３３０４）、空状態に移行する。
【０１９１】
そこで、図３２に示すように、コールセンタ装置２９００においては、主制御部２９０４は、空状態で、コールバック要求イベントの発生を検出すると（ステップ３２１１）、未応答計測タイマを作動させてから（ステップ３２１２）、デジタル網交換機に対して呼設定信号を送信するよう、Ｌ２／Ｌ３制御部２９０２に要求し（ステップ３２１３）、発信／応答状態に移行する。
【０１９２】
なお、ステップ３２１３では、主制御部２９０４は、ステップ３２０４で一時的に記録しておいた発信者番号情報を用いて、先の発信者に対して折返し発信するために、呼設定信号の送信を要求するものである。また、ステップ３２１２で作動させる未応答計測タイマは、折返し発信に対する応答がない場合に、自動的に切断するための判断材料として用いるためのものであり、予め定めた閾値に達すると、タイムアウトするようになっている。
【０１９３】
続いて、図３４に示すように、コールセンタ装置２９００においては、主制御部２９０４は、発信／応答状態で、Ｌ２／Ｌ３制御部２９０２が応答信号を受信したことを検出すると（ステップ３４１１）、折返し発信に対する応答があったことを意味しているので、未応答計測タイマを停止させると共に（ステップ３４１２）、デジタル網交換機に対して応答確認信号を返送するよう、Ｌ２／Ｌ３制御部２９０２に要求する（ステップ３４１３）。そして、主制御部２９０４は、音声応答処理を開始するよう、音声応答制御部２９０３に要求してから（ステップ３４１４）、通話中状態に移行する。
【０１９４】
また、主制御部２９０４は、発信／応答状態で、未応答計測タイマがタイムアウトすると（ステップ３４３１）、予め定めた期間が経過しても、折返し発信に対する応答がなかったことを意味しているので、デジタル網交換機に対して切断信号を送信するよう、Ｌ２／Ｌ３制御部２９０２に要求してから（ステップ３４３２）、空状態に移行する。
【０１９５】
また、主制御部２９０４は、発信／応答状態で、Ｌ２／Ｌ３制御部２９０２が切断信号を受信したことを検出すると（ステップ３４０１）、折返し発信先が話中であるなどが理由で、デジタル網交換機から切断されたことを意味しているので、未応答計測タイマを停止させると共に（ステップ３４０２）、デジタル網交換機に対して解放信号を返送するよう、Ｌ２／Ｌ３制御部２９０２に要求してから（ステップ３４０３）、空状態に移行する。
【０１９６】
一方、図３３に示すように、コールセンタ装置２９００においては、主制御部２９０４は、被呼出し状態で、被呼出し状態計測タイマがタイムアウトすると（ステップ３３１１）、発信者が、予め定めた期間が経過しても、呼出しを放棄しなかったことを意味しているので、発信者に対して自動応答するために、デジタル網交換機に対して応答信号を送信するよう、Ｌ２／Ｌ３制御部２９０２に要求してから（ステップ３３１２）、発信／応答状態に移行する。
【０１９７】
続いて、図３４に示すように、コールセンタ装置２９００においては、主制御部２９０４は、発信／応答状態で、Ｌ２／Ｌ３制御部２９０２が応答確認信号を受信したことを検出すると（ステップ３４２１）、音声応答処理を開始するよう、音声応答制御部２９０３に要求してから（ステップ３４２２）、通話中状態に移行する。
【０１９８】
なお、図３５に示すように、コールセンタ装置２９００においては、主制御部２９０４は、通話中状態で、音声応答制御部２９０３が音声応答処理を終了したことを検出すると（ステップ３５１１）、自身から切断するために、デジタル網交換機に対して切断信号を送信するよう、Ｌ２／Ｌ３制御部２９０２に要求してから（ステップ３５１２）、空状態に移行する。
【０１９９】
また、図３５に示すように、コールセンタ装置２９００においては、主制御部２９０４は、通話中状態で、Ｌ２／Ｌ３制御部２９０２が切断信号を受信したことを検出すると（ステップ３５０１）、音声応答処理の実行中に相手から切断されたことを意味しているので、音声応答処理を停止するよう、音声応答制御部２９０３に要求すると共に（ステップ３５０２）、デジタル網交換機に対して解放信号を返送するよう、Ｌ２／Ｌ３制御部２９０２に要求してから（ステップ３５０３）、空状態に移行する。
【０２００】
以上説明したように、本例によれば、発信者は、コールセンタ装置２９００に対して発信した後、予め定めた期間以内に呼出しを放棄して切断した場合には、コールセンタ装置２９００から折返し発信がなされるので、無料で、コールセンタ装置２９００の情報提供サービスを受けることができ、また、コールセンタ装置２９００に対して発信した後、予め定めた期間が経過しても呼出しを放棄しなかった場合には、コールセンタ装置２９００が自動応答するので、コールセンタ装置２９００の情報提供サービスを受けることができる。そこで、本例によれば、通話料金の負担先を発信者側で選択できることも可能となる。
【０２０１】
【発明の効果】
以上説明したように、本発明によれば、回線から到来する発信者番号情報を記録して表示する通信端末において、通信端末における被呼出し状態の継続期間を利用することで、ユーザメリットを実現することができる。
【図面の簡単な説明】
【図１】第１の実施形態に係る発信者番号表示アダプタの構成を示すブロック図。
【図２】アナログ網における発信者番号通知サービスの基本シーケンスを示すシーケンス図。
【図３】アナログ網における発信者番号通知サービスの基本シーケンスを示すシーケンス図。
【図４】着信検出回路に入力される呼出信号の信号レベルを示す説明図。
【図５】最初の鳴動が開始した時点から明らかに鳴動が停止したと判断した時点までのベルの鳴動回数を計測値とする例を示す説明図。
【図６】最初の鳴動が開始した時点から明らかに鳴動が停止したと判断した時点までの経過時間を計測値とする例を示す説明図。
【図７】第１の実施形態に係る発信者番号表示アダプタがベルの鳴動回数を計測する処理の処理フローチャート。
【図８】第１の実施形態に係る発信者番号表示アダプタがベルの鳴動回数を計測する処理の処理フローチャート。
【図９】着信検出回路に入力される起動信号の信号レベルを示す説明図。
【図１０】ベルの鳴動回数および発信者番号情報の記録例を示す説明図。
【図１１】ベルの鳴動回数および発信者番号情報の表示例を示す説明図。
【図１２】発信者番号情報および発信者情報の記憶例を示す説明図。
【図１３】ベルの鳴動回数の大きさによって記録の可否を制御する処理を示す説明図。
【図１４】発信者番号情報の内容およびベルの鳴動回数の大きさによって記録の可否を制御する処理を示す説明図。
【図１５】発信者番号情報の内容およびベルの鳴動回数の大きさによって記録の可否を制御する処理を示す説明図。
【図１６】第２の実施形態に係る発信者番号表示アダプタがベルの鳴動回数に加工を施して表示する処理を示す説明図。
【図１７】ベルの鳴動回数に応じた文字情報および発信者番号情報の表示例を示す説明図。
【図１８】ベルの鳴動回数に応じた文字情報および発信者番号情報の表示例を示す説明図。
【図１９】ベルの鳴動回数に応じた文字情報および発信者番号情報の表示例を示す説明図。
【図２０】文字情報の記憶例を示す説明図。
【図２１】文字情報の記憶例を示す説明図。
【図２２】第２の実施形態の応用例に係る発信者番号表示アダプタの処理を示す説明図。
【図２３】第２の実施形態の応用例に係る発信者番号表示アダプタにおける表示例を示す説明図
【図２４】第３の実施形態に係る発信者番号表示機能付き電話機の構成を示すブロック図。
【図２５】デジタル網における発信者番号通知サービスの基本シーケンスを示すシーケンス図。
【図２６】デジタル網における発信者番号通知サービスの基本シーケンスを示すシーケンス図。
【図２７】第３の実施形態に係る発信者番号表示機能付き電話機が被呼出し状態の継続期間を計測する処理を示す説明図。
【図２８】第３の実施形態に係る発信者番号表示機能付き電話機が被呼出し状態の継続期間を計測する処理を示す説明図。
【図２９】第３の実施形態の応用例に係るコールセンタ装置の構成を示すブロック図。
【図３０】第３の実施形態の応用例におけるコールバック動作のシーケンスを示すシーケンス図。
【図３１】第３の実施形態の応用例における自動応答動作のシーケンスを示すシーケンス図。
【図３２】第３の実施形態の応用例に係るコールセンタ装置の処理を示す説明図。
【図３３】第３の実施形態の応用例に係るコールセンタ装置の処理を示す説明図。
【図３４】第３の実施形態の応用例に係るコールセンタ装置の処理を示す説明図。
【図３５】第３の実施形態の応用例に係るコールセンタ装置の処理を示す説明図。
【符号の説明】
１００…発信者番号表示アダプタ、１０１…回線制御回路、１０２…ＩＤ受信回路、１０３…着信検出回路、１０４…主制御部、１０５…メモリ、１０６…操作部、１０７…表示部、２４００…発信者番号表示機能付き電話機、２４０１…Ｌ１制御部、２４０２…Ｌ２／Ｌ３制御部、２４０３…主制御部、２４０４…メモリ、２４０５…操作部、２４０６…表示部、２９００…コールセンタ装置、２９０１…Ｌ１制御部、２９０２…Ｌ２／Ｌ３制御部、２９０３…音声応答制御部、２９０４…主制御部、２９０５…メモリ。
【図１】
0003866418.tif 000002
【図２】
0003866418.tif 000003
【図３】
0003866418.tif 000004
【図４】
0003866418.tif 000005
【図５】
0003866418.tif 000006
【図６】
0003866418.tif 000007
【図７】
0003866418.tif 000008
【図８】
0003866418.tif 000009
【図９】
0003866418.tif 000010
【図１０】
0003866418.tif 000011
【図１１】
0003866418.tif 000012
【図１２】
0003866418.tif 000013
【図１３】
0003866418.tif 000014
【図１４】
0003866418.tif 000015
【図１５】
0003866418.tif 000016
【図１６】
0003866418.tif 000017
【図１７】
0003866418.tif 000018
【図１８】
0003866418.tif 000019
【図１９】
0003866418.tif 000020
【図２０】
0003866418.tif 000021
【図２１】
0003866418.tif 000022
【図２２】
0003866418.tif 000023
【図２３】
0003866418.tif 000024
【図２４】
0003866418.tif 000025
【図２５】
0003866418.tif 000026
【図２６】
0003866418.tif 000027
【図２７】
0003866418.tif 000028
【図２８】
0003866418.tif 000029
【図２９】
0003866418.tif 000030
【図３０】
0003866418.tif 000031
【図３１】
0003866418.tif 000032
【図３２】
0003866418.tif 000033
【図３３】
0003866418.tif 000034
【図３４】
0003866418.tif 000035
【図３５】
0003866418.tif 000036